(57)【要約】【課題】簡易に視覚的効果を付与することが可能なプレゼンテーション装置を提供する。【解決手段】このプレゼンテーション装置（撮影システム）は、被写体ＯＢ（発表原稿等）を離間位置から撮像した画像に基づいて被写体の色情報を検出し、検出された色情報に基づいてその画像から所定の領域を抽出する。たとえば、操作者が発表原稿にマーカーペンＭＫで着色した領域ＣＰ２を、着色前後の２枚の画像を比較することによって抽出する。そして、抽出した領域に対して点滅等の表示効果（視覚的効果）を付与して画像を修正し、修正後の画像に関するデータを液晶プロジェクタなどの外部表示機器等に出力する。【選択図】        図１０
2004208231.tif 000002
【特許請求の範囲】
【請求項１】
プレゼンテーション装置であって、
被写体を離間位置から撮像し、前記被写体に関する画像を取得する取得手段と、
前記画像に基づいて前記被写体の色情報を検出し、当該色情報に基づいて前記画像から所定の領域を抽出する抽出手段と、
前記所定の領域に対して所定の表示効果を付与し前記画像を更新する更新手段と、
更新後の前記画像に関するデータを出力する出力手段と、
を備えることを特徴とするプレゼンテーション装置。
【請求項２】
請求項１に記載のプレゼンテーション装置において、
前記抽出手段は、前記取得手段によって取得される複数の画像を比較し、前記色情報が変化する領域を前記所定の領域として抽出することを特徴とするプレゼンテーション装置。
【請求項３】
請求項２に記載のプレゼンテーション装置において、
前記抽出手段は、操作者による前記被写体への着色動作または操作者による前記被写体への着色物体の付加動作によって色情報が変化する領域を、前記所定の領域として抽出することを特徴とするプレゼンテーション装置。
【請求項４】
請求項１に記載のプレゼンテーション装置において、
前記抽出手段は、前記色情報に基づいて、前記画像から特定色の領域を前記所定の領域として抽出することを特徴とするプレゼンテーション装置。
【請求項５】
請求項４に記載のプレゼンテーション装置において、
前記特定色を変更することが可能な設定手段、
をさらに備えることを特徴とするプレゼンテーション装置。
【発明の詳細な説明】
【０００１】
【発明の属する技術分野】
本発明は、プレゼンテーション装置に関する。
【０００２】
【従来の技術】
プレゼンテーションに用いられる装置としては、発表原稿（紙媒体）等を拡大投影するオーバーヘッドプロジェクター（ＯＨＰ）などの装置が存在する（例えば、特許文献１参照）。
【０００３】
また、近年パーソナルコンピュータおよび液晶プロジェクタなどを利用して、プレゼンテーション用のアプリケーションソフトウエアで作成された発表原稿（電子データ）を画面等に表示することも行われている。
【０００４】
【特許文献１】
特開平６−３０８６０９号公報
【０００５】
【発明が解決しようとする課題】
ところで、プレゼンテーションにおいては、発表原稿に対して網掛け等の視覚的効果を付与することによって、プレゼンテーション効果を高めたいという要望が存在する。
【０００６】
しかしながら、このような視覚的効果の付与作業はプレゼンテーションのその場で簡単にできるものではなく、プレゼンテーションを円滑に行うためにはプレゼンテーション実施時点よりも以前の準備段階で予め発表原稿等に視覚的効果を付与しておく必要がある。
【０００７】
たとえば、上記の２つの技術のうち前者の技術においては、発表原稿の特定部分を枠線で囲むなどの作業を行っておく必要がある。また、後者の技術においても、そのアプリケーションソフトウエアを用いた所定の操作によって、予め視覚的効果を付与した発表用の電子データを作成しておく必要がある。
【０００８】
このような手法では、予め準備をしておかなければならず、臨機応変にプレゼンテーション中に視覚的効果を付与することができないという問題がある。
【０００９】
そこで、本発明は前記問題点に鑑み、簡易に視覚的効果を付与することが可能なプレゼンテーション装置を提供することを目的とする。
【００１０】
【課題を解決するための手段】
上記目的を達成するため、請求項１の発明は、プレゼンテーション装置であって、被写体を離間位置から撮像し前記被写体に関する画像を取得する取得手段と、前記画像に基づいて前記被写体の色情報を検出し当該色情報に基づいて前記画像から所定の領域を抽出する抽出手段と、前記所定の領域に対して所定の表示効果を付与し前記画像を更新する更新手段と、更新後の前記画像に関するデータを出力する出力手段と、を備えることを特徴とする。
【００１１】
請求項２の発明は、請求項１の発明に係るプレゼンテーション装置において、前記抽出手段は、前記取得手段によって取得される複数の画像を比較し、前記色情報が変化する領域を前記所定の領域として抽出することを特徴とする。
【００１２】
請求項３の発明は、請求項２の発明に係るプレゼンテーション装置において、前記抽出手段は、操作者による前記被写体への着色動作または操作者による前記被写体への着色物体の付加動作によって色情報が変化する領域を、前記所定の領域として抽出することを特徴とする。
【００１３】
請求項４の発明は、請求項１の発明に係るプレゼンテーション装置において、前記抽出手段は、前記色情報に基づいて、前記画像から特定色の領域を前記所定の領域として抽出することを特徴とする。
【００１４】
請求項５の発明は、請求項４の発明に係るプレゼンテーション装置において、前記特定色を変更することが可能な設定手段、をさらに備えることを特徴とする。
【００１５】
【発明の実施の形態】
以下、本発明の実施形態を図面に基づいて説明する。
【００１６】
＜Ａ．第１実施形態＞
＜撮影システムの全体構成＞
図１は、本実施形態に係る撮影システム１の全体構成を示す図である。
【００１７】
撮影システム１は、書画（ドキュメント）や小物品などの被写体を被写体載置用スペースＰに載置し、当該被写体載置用スペースＰの上方の比較的近距離から、当該被写体を撮影するダウンフェース撮影用の近接撮影システムである。また、撮影システム１は、被写体載置用スペースＰに載置された紙原稿等の被写体ＯＢを一定の距離を保ちながら撮影して、電子的な画像データを生成可能なように構成される。また、撮影システム１は、後述するインターフェースを介して電気的に接続されたパーソナルコンピュータやプリンタやプロジェクタ等に対して、生成した画像データを出力することも可能である。したがって、操作者は発表原稿等の被写体を被写体載置用スペースＰに載置して撮影した画像を、液晶プロジェクタなどの外部表示機器（外部機器）を用いて表示させることによって、撮影システム１をプレゼンテーション装置として用いることができる。
【００１８】
撮影システム１は、被写体ＯＢの像を光電変換して電子的な画像データを生成するデジタルカメラ１０（電子カメラ）と、デジタルカメラ１０を被写体ＯＢから一定距離だけ上方に離れた位置に支持する支持台２０（ないし支持部）とを備える。デジタルカメラ１０は、図２に示すように、支持台２０に対して着脱自在であり、支持台２０から分離された場合は、比較的に遠方に位置する被写体の撮影も可能な通常のデジタルカメラとして単体でも使用可能である。支持台２０は、被写体載置用スペースＰの辺縁に沿って伸びた接地脚を持つ、ダウンフェース撮影用のカメラ支持スタンドである。また、支持台２０は、被写体を照明するための主照明（図示せず）を接続することが可能である。暗い部屋の中で撮影システム１を用いてプレゼンテーションを行う場合などにおいては、この主照明を用いて被写体を照明することができる。
【００１９】
また、デジタルカメラ１０および支持台２０は、携帯可能となる程度に軽量に構成されている。したがって、撮影システム１は所定の位置に固定して配置される必要はなく、比較的容易にその設置場所を変更することができる。
【００２０】
以下では、まず、撮影システム１を構成するデジタルカメラ１０および支持台２０の構成について詳細に説明する。
【００２１】
＜デジタルカメラの構成＞
図３は、本実施形態に係るデジタルカメラ１０の外観構成を示す図であり、より詳細には、デジタルカメラ１０をその背面側からみた斜視図である。また、図２には、前面側からみたデジタルカメラ１０の斜視図が支持台２０とともに示されている。
【００２２】
図２に示すように、デジタルカメラ１０の前面側には、被写体像を取得するための撮影レンズ１０１が設けられている。
【００２３】
さらに、デジタルカメラ１０の前面側には、撮影時に被写体に照明光を照射する内蔵フラッシュ１０９が設けられている。内蔵フラッシュ１０９は、デジタルカメラ１０の筐体内に設けられて、デジタルカメラ１０と一体化されている。
【００２４】
さらに、デジタルカメラ１０は光学ファインダを備えており、デジタルカメラ１０の前面には、光学ファインダのファインダ対物窓１５１が設けられている。
【００２５】
また、デジタルカメラ１０の上面側には電源スイッチ１５２とシャッタボタン１５３とが設けられている。電源スイッチ１５２は、電源のオン状態とオフ状態とを切り替えるためのスイッチである。この電源スイッチ１５２を１回押下するたびに、オン状態とオフ状態とが順次に切り替わっていく。シャッタボタン１５３は、半押し状態（以後、Ｓ１状態と略記する）と全押し状態（以後、Ｓ２状態と略記する）とが検出可能な２段階スイッチになっている。このシャッタボタン１５３の押下によって被写体に関する画像を取得できる。
【００２６】
また、デジタルカメラ１０の側面には、インターフェース１７が設けられている。インターフェース１７は、たとえばＵＳＢ規格のインターフェースであり、電気的に接続されたパーソナルコンピュータやプリンタやプロジェクタ等の外部機器へ画像データを出力したり、制御信号を送受信することが可能である。この端子を用いることによれば、デジタルカメラ１０は、支持台２０と分離して単独で使用した場合でも、外部機器と接続して使用できる。
【００２７】
また、図２および図３には示されていないが、デジタルカメラ１０の別の側面には、挿抜自在な記憶媒体であるメモリカード１３を装着するカードスロットと、デジタルカメラ１０の電源となる電池（充電池）を内蔵させる電池室が設けられる。カードスロットおよび電池室は、デジタルカメラ１０の筐体表面に設けられたクラムシェルタイプの蓋により開閉自在となっている。
【００２８】
一方、図３に示すように、デジタルカメラ１０の背面側には、液晶モニタ１４が設けられる。この液晶モニタ１４は、撮影画像のモニタ表示や記録画像の再生表示等を行うための表示部として機能する。また、デジタルカメラ１０の背面側には、光学ファインダのファインダ接眼窓１５４が設けられる。操作者は、液晶モニタ１４またはファインダ接眼窓１５４によって被写体を確認しつつ撮影を行うことができる。
【００２９】
さらに、デジタルカメラ１０の背面側には、メニューボタン１５６が設けられており、撮影モード時にメニューボタン１５６が押下されると、撮影条件等を設定するためのメニュー画面が液晶モニタ１４に表示される。
【００３０】
また、デジタルカメラ１０の背面側には、実行ボタン１５７と、液晶モニタ１４における表示カーソルを４方向に移動させるための十字カーソルボタン１５８Ｕ，１５８Ｄ，１５８Ｒ，１５８Ｌで構成されるコントロールボタン１５８とがさらに設けられる。実行ボタン１５７およびコントロールボタン１５８を用いて、各種パラメータの設定操作が行われる。
【００３１】
さらに、デジタルカメラ１０の背面側には、「撮影モード」と「再生モード」との間でデジタルカメラ１０の動作モードを切り替えるモード切り替えバー１５９が設けられる。モード切り替えバー１５９は、２接点のスライドスイッチであり、図３において右にセットすると、デジタルカメラ１０の動作モードは「撮影モード」に設定され、左にセットすると「再生モード」に設定される。動作モードが「撮影モード」に設定されると、ＣＣＤ１０３（後述）に結像している被写体像の画像データが比較的高速に更新されながら液晶モニタ１４に連続的に表示される（いわゆるライブビュー表示）。また、シャッタボタン１５３の操作によって撮影を行って被写体に関する画像データを生成することが可能となる。一方、動作モードが「再生モード」に設定されると、メモリカード１３に記録された画像データが読み出されて液晶モニタ１４に再生表示される。再生表示される画像は、コントロールボタン１５８Ｒおよび１５８Ｌで選択可能である。
【００３２】
また、デジタルカメラ１０の底面には、結合部１６が設けられている。この結合部１６は、デジタルカメラ１０と支持台２０との電気的な接続（結合）を実現する機能と、両者１０，２０間の機械的な結合を実現する機能とを有している。
そのため、結合部１６は、４本の電気的接続部１６１，１６２，１６３，１６４と結合用のネジ穴１６５とを有している。
【００３３】
電気的接続部１６１，１６２，１６３，１６４は、その内部に電気接点を有する凹部材として形成されている。各電気的接続部１６１，１６２，１６３，１６４は、それぞれ、支持台２０側の４本の凸状（ピン形状）の電気的接続部２６１，２６２，２６３，２６４（後述、図４参照）とそれぞれ嵌合し、電気信号の授受等を行う。
【００３４】
より具体的には、電気的接続部１６１および電気的接続部２６１の間の電気的接続と、電気的接続部１６２および電気的接続部２６２の間の電気的接続とを用いることによって、制御信号ＳＧおよび画像データＤＴ（図５参照）が送受信される。すなわち、電気的接続部１６１、１６２，２６１，２６２は、データ送受信部として機能する。また、電気的接続部１６３および電気的接続部２６３の間の電気的接続と、電気的接続部１６４および電気的接続部２６４の間の電気的接続とを用いることによって、電力の供給動作（給電動作）および受給動作（受電動作）が行われる。すなわち、電気的接続部１６３、１６４，２６３，２６４は、給受電部（電力の供受給部）として機能する。
【００３５】
また、ネジ穴１６５は、デジタルカメラ１０の底面において、垂直な円筒穴として形成されている。より詳細には、この円筒穴の内面にネジ溝が切られており、ネジ穴１６５は雌ネジとして形成されている。支持台２０の結合部２６に設けられた雄ネジ２６５（後述）が、この雌ネジ１６５と螺合することによって、デジタルカメラ１０は支持台２０と機械的に結合される。
【００３６】
＜支持台の構成＞
図１および図２に示すように、支持台２０は、台座２１ａと支柱２１ｂとを備えている。
【００３７】
台座２１ａは、平面視Ｌ型形状の外観を有しており、被写体載置用スペースＰと同一平面内（以後、被写体載置面と略記する）に載置される。また、支柱２１ｂは、被写体載置面との角度を変更可能に接続されている。
【００３８】
具体的には、支柱２１ｂは台座２１ａに固定された回転支持部材２１ｅの回転軸を中心に回転することが可能であり、当該回転軸に設けられたネジ（図示せず）と回転支持部材２１ｅとで支柱２１ｂを挟み込むことによって、支柱２１ｂを所望の回転位置で固定することができる。さらに、支柱２１ｂは、所定の伸縮機構を有している。これにより、支柱２１ｂは、伸縮可能であり、その長さは所望の長さに調整可能である。
【００３９】
また、支持台２０は、デジタルカメラ１０との機械的結合を実現する結合部２６を備える。結合部２６は、支柱２１ｂと接続され、被写体載置用スペースＰから或る距離だけ上方に離れた位置に支持されている。
【００４０】
次に、結合部２６の詳細について、図４の斜視図を参照しながら説明する。結合部２６は、デジタルカメラ１０の結合部１６の雌ネジに対して螺合可能な雄ネジがきられた結合ネジ２６５を備える。結合ネジ２６５は、結合部２６に設けられた貫通穴に挿通されており、結合部２６に対して回転可能である。このため、結合ネジ２６５においてデジタルカメラ１０との結合端の反対端に設けられたつまみ（図４には図示せず）を回転させることによって、デジタルカメラ１０と支持台２０とを結合することが可能である。
【００４１】
さらに結合部２６は、デジタルカメラ１０と支持台２０との電気的な接続（結合）を実現する機能と、両者１０，２０間の機械的な結合を実現する機能とを有している。具体的には、結合部２６は、４本の電気的接続部２６１，２６２，２６３，２６４と結合用の雄ネジ２６５とを有している。
【００４２】
電気的接続部２６１，２６２，２６３，２６４は、それぞれ、その先端側に電気接点を有するピン形状の凸状部材（「信号ピン」とも称する）として形成される。各接続部２６１，２６２，２６３，２６４は、カメラ側の電気的接続部１６１，１６２，１６３，１６４とそれぞれ嵌合した状態で電気的接続が実現され電気信号の授受等を行う。
【００４３】
さらに、結合部２６は、デジタルカメラ１０と支持台２０とが機械的に結合されたことを検知する機能をも有している。
【００４４】
電気的接続部２６１，２６２，２６３，２６４の信号ピンは、圧力を印加することによって、それぞれ対応する接続部１６１，１６２，１６３，１６４に設けられた穴に対して、所定長さ分だけ圧入可能である。また、各信号ピンは、印加している圧力を取り除けば、圧入時に縮んだ長さ分が再度突出して元の形状が復元するように、バネ等を用いて構成されている。また、各信号ピンは、それぞれ、デジタルカメラ１０と支持台２０とを結合したときに、デジタルカメラ１０の電気的接続部１６１，１６２，１６３，１６４の電気接点と電気的な導通が得られる位置に設けられる。これらの構成によって、デジタルカメラ１０の結合部１６の雌ネジ１６５と結合部２６の結合ネジ２６５との螺合が深くなるにつれて、突出している各信号ピンは、デジタルカメラ１０の電気接点と電気的な導通を維持しながら、結合部１６に設けられた穴に圧入されてゆくことになる。さらに、その信号ピンが所定長さだけ圧入されると、デジタルカメラ１０と支持台２０とが結合されたことを示す検出信号が出力される。たとえば、電気的接続部２６１の信号ピンが所定量だけ縮んだことを検出するスイッチを電気的接続部２６１に設けておけばよい。あるいは、電気的接続部２６１の信号ピンが所定長さだけ圧入されたことを検出するスイッチを、電気的接続部１６１に設けておいてもよい。あるいは、導電材料である雄ネジ２６５が所定の位置にまで押し込まれたことを検知するスイッチをネジ穴１６５の内部に設けておいてもよい。
【００４５】
このような構成によって、デジタルカメラ１０が支持台２０に支持された状態で、デジタルカメラ１０が支持台２０に対して電気的に接続される。そして、スイッチからの検出信号を受信することによって、全体制御部１２，２２は、デジタルカメラ１０と支持台２０とが結合されていることを認識することができる。
【００４６】
また、支持台２０は、結合部１６，２６を介してデジタルカメラ１０の電源からの電力供給を受けることも可能であるし、支持台２０の台座２１ｂに内蔵された電源（図示せず）からの電力供給を受けることも可能である。
【００４７】
＜デジタルカメラおよび支持台の機能構成＞
次に、デジタルカメラ１０の機能構成を説明する。図５は、デジタルカメラ１０および支持台２０の機能構成を示すブロック図である。
【００４８】
図４に示すように、デジタルカメラ１０は、被写体像を結像させる撮影レンズ１０１を備える。撮影レンズ１０１は、被写体の合焦状態を変化させるために、フォーカシングレンズが移動可能となっている。また、撮影レンズ１０１は、入射光量を変化させるために、絞りの開口径が調整可能となっている。
【００４９】
ＣＣＤ１０３は、撮影レンズ１０１の後方適所に設けられる撮像素子である。ＣＣＤ１０３は、撮影レンズ１０１によって結像された被写体像をＲ（赤），Ｇ（緑），Ｂ（青）の各色成分の画像信号（各画素から出力された画素信号の信号列）に変換して出力する。
【００５０】
画像処理部１０５は、ＣＣＤ１０３による画像信号に対して、Ａ／Ｄ変換、黒レベル補正、ホワイトバランス補正、γ補正などの各種の処理を施して、デジタル信号としての画像データを生成する。
【００５１】
画像メモリ１０７は、画像処理部１０５で処理が終了した画像データを一時的に記憶するバッファメモリである。画像メモリ１０７は、たとえば、数フレーム分の記憶容量を有する。
【００５２】
撮影モードにおける撮影待機状態においては、ＣＣＤ１０３により所定時間間隔ごとに取得された被写体像の画像データは、画像処理部１０５で処理され、画像メモリ１０７に記憶される。画像メモリ１０７に記憶された画像データは、全体制御部１２によって液晶モニタ１４に転送されて、視認可能に表示される（ライブビュー表示）。液晶モニタ１４に表示される画像は、上述の所定時間間隔で更新されるので、操作者は液晶モニタ１４に表示された画像により被写体を視認することができる。ここで、撮影待機状態とは、シャッタボタン１５３がＳ１状態となる前の状態をいう。
【００５３】
また、撮影モードにおいて、シャッタボタン１５３がＳ２状態にされると、本撮影動作が開始される。本撮影動作で取得された画像データは、画像処理部１０５で処理され、画像メモリ１０７に一旦記憶された後、メモリカード１３に記憶される。メモリカード１３は、フラッシュメモリなどの不揮発性メモリを備えている。
【００５４】
また、再生モードにおいては、メモリカード１３から読み出された画像データが、全体制御部１２で所定の信号処理が施された後に液晶モニタ１４に転送されて、視認可能に表示される。
【００５５】
続いて、デジタルカメラ１０のその他の機能構成を説明する。
【００５６】
操作部１５は、上述したメニューボタン１５６、コントロールボタン１５８、シャッタボタン１５３および電源スイッチ１５２を包括する。操作者が操作部１５に所定の操作を行うと、その操作内容は全体制御部１２に伝達され、デジタルカメラ１０の動作状態に反映される。
【００５７】
結合部１６は、デジタルカメラ１０と支持台２０とが結合されている場合に、デジタルカメラ１０の全体制御部１２と支持台２０の全体制御部２２との間で所定の通信方式で制御信号および画像データを送受信する。これによって、デジタルカメラ１０で撮影し処理された画像データは、後述する支持台２０の全体制御部２２およびインターフェース２７を介して、図６に示すように、液晶プロジェクタ等の外部機器ＥＸＴへ出力可能である。また、デジタルカメラ１０は、支持台２０に設けられた操作部２５によっても操作可能となる。なお、図６では、外部機器ＥＸＴとしての液晶プロジェクタに対して画像データを出力し、その液晶プロジェクタを用いてその画像データに基づく画像を表示する場合を例示しているが、これに限定されない。たとえば、デジタルカメラ１０は、支持台２０を介して、外部機器ＥＸＴとしてのパーソナルコンピュータ、プリンタなどに対して画像データを出力するようにしてもよい。
【００５８】
全体制御部１２は、ＲＡＭ１２ａおよびＲＯＭ１２ｂを備えたマイクロコンピュータである。該マイクロコンピュータがＲＯＭ１２ｂに格納されたプログラムを実行することにより、全体制御部１２はデジタルカメラ１０の各部を統括的に制御する制御手段として機能する。なお、ＲＯＭ１２ｂは電気的にデータの書き換えが可能な不揮発性メモリである。
【００５９】
次に、支持台２０の機能構成を図５を参照しながら説明する。
【００６０】
図５に示すように、支持台２０は、支持台２０の各部の動作を統括制御する全体制御部２２を備える。全体制御部２２は、ＲＡＭ２２ａおよびＲＯＭ２２ｂを備えたマイクロコンピュータである。マイクロコンピュータがＲＯＭ２２ｂに格納されたプログラムを実行することにより、全体制御部２２は支持台２０の各部を統括的に制御する制御手段として機能する。なお、ＲＯＭ２２ｂは電気的にデータの書き換えが可能な不揮発性メモリである。
【００６１】
また、支持台２０は、原稿明るさ検出部２３、副照明２４、操作部２５、およびインターフェース２７をさらに備えている。
【００６２】
原稿明るさ検出部２３は、フォトトランジスタ等の光センサから構成される。原稿明るさ検出部２３は、被写体載置用スペースＰからの光を検出して、その輝度に応じた信号を出力する機能を有する。これにより、原稿明るさ検出部２３は、被写体載置用スペースＰに被写体ＯＢが載置されたかどうかを検出する手段として機能する。
【００６３】
副照明２４は、支柱２１ｂに設けられる。副照明２４は、全体制御部２２の制御信号に基づいて点灯する。より具体的には、操作者が操作部２５に対して所定の操作を行うと、全体制御部２２から副照明２４を点灯させるための制御信号が出力されて、副照明２４が点灯する。副照明２４は、被写体ＯＢの補助的な照明手段または後述する操作部の照明手段として用いられる。副照明２４によれば、暗い部屋の中で操作者の手元のみを照明することが可能である。
【００６４】
操作部２５は、台座２１ａに設けられる。操作部２５は、複数のボタン群を備える。操作者が操作部２５に所定の操作を行うと、その操作内容は全体制御部２２へ出力され、支持台２０の動作状態に反映される。また、デジタルカメラ１０と支持台２０との結合時には、操作部２５は、全体制御部２２を介してデジタルカメラ１０の全体制御部１２にも制御信号を転送することが可能である。これにより、操作部２５の操作によって、デジタルカメラ１０の撮影および設定操作を行うことも可能である。このため、結合時には、デジタルカメラ１０に触れることなく、操作部２５の操作によって、デジタルカメラ１０の撮影および設定操作が可能である。
【００６５】
インターフェース２７は、台座２１ａに設けられる。インターフェース２７は、たとえばＵＳＢ規格のインターフェース、シリアルインターフェースあるいはパラレルインターフェース等を含み、電気的に接続された液晶プロジェクタ等の外部機器ＥＸＴ（図６参照）へ画像データを出力したり、制御信号を送受信することが可能である。
【００６６】
＜動作＞
つぎに、この第１実施形態における動作について説明する。図７は、この動作の概要を示すフローチャートであり、図８は、この動作の概要を示すタイミングチャートである。
【００６７】
この第１実施形態では、図９〜図１１に示すような場合について説明する。具体的には、操作者がプレゼンテーション中に発表原稿（図９参照）にマーカーペン（カラーマーカーペン）ＭＫで色を付して発表原稿に色の変化を与える（図１０参照）。そして、デジタルカメラ１０は、色の変化前に撮影された画像データＤ１と色の変化後に撮影された画像データＤ２とを比較し、両画像データＤ１，Ｄ２に基づいて色の変化部分（色変化領域）を検出し、その変化部分を点滅状態とする画像（図１１参照）を生成して、当該画像を外部機器を用いて表示させるのである。なお、図９は、着色前の発表原稿を示す図であり、図１０は、着色後の発表原稿を示す図であるり、図１１は、表示効果が付加された画像Ｐ３を示す図である。
【００６８】
以下では、主に図７のフローチャートおよび図８のタイミングチャートなどに基づいて説明を進める。
【００６９】
まず、ステップＳＰ１，ＳＰ２において、デジタルカメラ１０は、被写体載置用スペースＰに載置された被写体ＯＢ（ここでは発表原稿）を離間位置から撮像し、画像データＤ１を取得する。
【００７０】
具体的には、支持台２０の操作部２５に設けられたシャッタボタン２５ａ（図１３参照）を操作者が押下すると、支持台２０の全体制御部２２はデジタルカメラ１０の全体制御部１２に対して制御信号を送信する。デジタルカメラ１０の全体制御部１２は、支持台２０の全体制御部２２からのこの制御信号を受信すると、被写体の撮影開始指令が入力されたものと判断する。そして、デジタルカメラ１０は、ＣＣＤ１０３による露光動作およびＣＣＤ１０３からの画像データの取込動作を行うことによって、被写体ＯＢを撮像する。さらに、デジタルカメラ１０は、取り込まれた画像データに対する各種の処理（画像処理）を施すことによって、画像データＤ１を作成して、画像メモリ１０７に保存する。
【００７１】
なお、ここでは、操作部２５内のシャッタボタン２５ａが押下されることに応答して、画像データＤ１が取得される場合を示しているが、デジタルカメラ１０のシャッタボタン１５３が押下されることに応答して、画像データＤ１が取得されるようにしてもよい。
【００７２】
ステップＳＰ３では、取得された画像データＤ１は外部機器ＥＸＴに出力され、外部機器ＥＸＴはその画像データＤ１に基づく画像を投影面に投影する（図６参照）。図８に示すように、画像データＤ１に基づく画像は、次に投影対象となる画像の画像データＤ３が後のステップＳＰ１３で生成されるまで、投影面に投影され続けることになる。
【００７３】
次に、操作者によって被写体ＯＢへの加工動作が行われる（ステップＳＰ４）。具体的には、図１０に示すように、操作者が発表原稿（図９参照）内の特定部分にマーカーペンＭＫで色を付して色の変化を与える。すなわち、操作者は被写体ＯＢに対する着色動作を行う。
【００７４】
図１０においては、操作者が黄色のマーカーペンＭＫを用いて、文字「かきくけこ」の部分ＣＰ２を黄色に着色した後の状態が示されている。ここでは、黄色のマーカーペンＭＫを用いているが、何色のペンを用いて着色しても良い。ただし、着色部分の識別性を高めるため、原稿の地色および／または原稿の文字等との区別を付けやすい色であることが好ましい。
【００７５】
さらに、ステップＳＰ５，ＳＰ６において、被写体ＯＢの再撮影動作が行われる。具体的には、シャッタボタン２５ａではなく、支持台２０の操作部２５に設けられたプレゼンテーションボタン２５ｂを操作者が押下すると、デジタルカメラ１０の全体制御部１２は、支持台２０の全体制御部２２からの制御信号を受信し、表示効果付与のための撮影動作指令が入力されたものと判断する。そして、全体制御部１２は、被写体ＯＢを再び撮影する。具体的には、デジタルカメラ１０は、ＣＣＤ１０３による露光動作およびＣＣＤ１０３からの画像データの取込動作を行うことによって、被写体ＯＢを再び撮像する。さらに、デジタルカメラ１０は、取り込まれた画像データに対する各種の処理（画像処理）を施すことによって、画像データＤ２を作成して、画像メモリ１０７に保存する。
【００７６】
つぎに、ステップＳＰ７〜ＳＰ１３において、表示効果を付与する動作等が行われる。
【００７７】
具体的には、まず、ステップＳＰ７において、全体制御部１２は、各画像データＤ１，Ｄ２を用いて被写体ＯＢの色情報を検出し、検出された色情報に基づいて、画像データＤ１，Ｄ２の対応画素間の差分値を色成分毎に求める。そして、ステップＳＰ８では、その差分値に基づいて被写体ＯＢにおいて色が変化した領域（以下、「色変化領域」とも称する）を特定する。言い換えれば、画像データＤ１で表現される画像から色変化領域を抽出する。
【００７８】
図１２は、色変化判定の詳細について説明するための概念図である。図１２（ａ）は、画像データＤ１に基づく画像の一部を示しており、図１２（ｂ）は、画像データＤ２に基づく画像の一部を示している。図１２（ａ），（ｂ）においては、色が異なる部分には異なるハッチングが付されている。また、図１２における正方形の各領域は、画像データＤ１，Ｄ２に基づく画像の各画素に対応している。さらに、図１２（ｃ）は、色変化領域ＣＰの位置を示す図でり、各画素の位置は、図１２（ａ），（ｂ）に対応した状態で示されている。
【００７９】
画像データＤ１，Ｄ２における各画素の画素値は、Ｒ，Ｇ，Ｂの３つの成分で表現される。全体制御部１２は、両画像データＤ１，Ｄ２を３つの色成分ごとに比較し、３つの成分のうちのいずれかの成分のデータが所定程度よりも大きく変化したときに色が変化したと認識する。具体的には、全体制御部１２は、３つの色成分のうちのいずれかの階調値が所定の閾値（具体的には、各色成分値が２５６段階の階調値で表現されている場合にはたとえば１０程度）以上相違しているとき（言い換えれば両画像データＤ１，Ｄ２の差分値が所定の閾値上であるとき）に画像内の該当位置において色が変化したと判定する。
【００８０】
このようにして、図１２（ｃ）に示すような色変化領域ＣＰを検出することができる。なお、ここでは、画素ごとに色の変化の有無を検出する場合について説明しているが、これに限定されず、画像を所定サイズ（たとえば１６画素×１６画素）の複数のブロックに区分し、ブロックごとに色の変化を検出するようにしてもよい。より具体的には、各ブロックごとに画素値の平均値を求め、その平均値の変化を検出することによって、色の変化を検出するようにしてもよい。
【００８１】
その後、次のステップＳＰ９で色変化領域ＣＰの表示色を決定し、ステップＳＰ１０で色変化領域ＣＰの表示形状を決定し、ステップＳＰ１１で色変化領域ＣＰの表示効果の種類を決定する。
【００８２】
図１３は、操作部２５のうち、ステップＳＰ９，ＳＰ１０，ＳＰ１１の選択操作で用いられるボタン等を示す図である。
【００８３】
図１３に示すように、操作部２５は、上段のボタン群ＢＮ１０と中段の３つのボタン群ＢＮ２０と下段の３つのボタン群ＢＮ３０とを備えている。
【００８４】
ボタン群ＢＮ１０は、色変化領域ＣＰの表示色を決定する５つのボタンを有している。各ボタンには、たとえば、赤色、青色、緑色、黄色、橙色などの互いに異なる色が付されている。ボタン群ＢＮ１０のいずれかのボタンが操作者によって押下されると、全体制御部１２は、押下されたボタンに付された色で色変化領域を表示すべき旨が入力されたものと判定する。
【００８５】
ボタン群ＢＮ２０は、色変化領域ＣＰの形状を決定する３つのボタンを有している。各ボタンには、丸、三角、四角などの互いに異なる形状のマークが付されている。ボタン群ＢＮ２０のいずれかのボタンが操作者によって押下されると、全体制御部１２は、押下されたボタンに対応する形状で色変化領域を表示すべき旨が入力されたものと判定する。
【００８６】
上記のステップＳＰ８で検出された色変化領域ＣＰを表示するにあたり、そのままの形状で表示することも可能ではあるが、ここでは、色変化領域ＣＰを所定の図形を用いて示すものとする。具体的には、「丸」が選択された場合には、全体制御部１２は、この選択指示を、色変化領域に内接する楕円（あるいは外接する楕円）で色変化領域を示すべき旨の指示として認識する。また、「四角」が選択された場合には、全体制御部１２は、この選択指示を、色変化領域に外接する四角形（あるいは内接する四角形）で色変化領域を示すべき旨の指示として認識する。なお、「三角」が選択された場合も同様である。
【００８７】
ボタン群ＢＮ３０は、色変化領域の表示効果の種類を決定する３つのボタンを有している。各ボタンには、点滅、網かけ（淡）、網かけ（濃）などの互いに異なる効果種類を示すマークが付されている。ボタン群ＢＮ３０のいずれかのボタンが操作者によって押下されると、全体制御部１２は、押下されたボタンに対応する種類の表示効果で色変化領域ＣＰを表示すべき旨が入力されたものと判定する。なお、表示効果は、上述の点滅等に限定されず、「非表示」、「反転」などのその他の種類のものであってもよい。
【００８８】
以上の動作により、操作者が、色変化領域の色、形状、効果種類を選択すると、最後に「Enter」ボタンＢＮ４０が押下され、その選択内容が確定される（ステップＳＰ１２）。
【００８９】
次のステップＳＰ１３では、全体制御部１２は、ボタンＢＮ４０の押下に応じて、修正画像データＤ３を作成する。具体的には、全体制御部１２は、画像データＤ１の色変化領域ＣＰに対して表示効果（視覚的効果）を付与することによって画像データＤ１を修正（更新）し、画像データＤ３を作成する。
【００９０】
そして、ステップＳＰ１４において、全体制御部１２は、全体制御部２２を介して、外部機器ＥＸＴに対して画像データＤ３を出力する。出力された画像データＤ３は、液晶プロジェクタなどの外部機器ＥＸＴによって画像として表示される。
【００９１】
図１１は、画像データＤ３の表示例を示している。図１１の表示画面Ｐ３においては、文字「かきくけこ」を含む矩形部分ＣＰ３が青色で点滅している状態が示されている。この状態は、ステップＳＰ９〜ＳＰ１１において、色変化領域の色、形状、効果種類として、それぞれ、「青色」、「四角」、「点滅」が選択された場合を想定している。
【００９２】
以上のように、この撮影システム１によれば、被写体の色情報を検出し、検出された色情報に基づいて画像から所定の領域を抽出し、抽出された領域に対して所定の表示効果（視覚的効果）を付与して画像を修正することができる。したがって、事前の準備を行うことなく、簡易に所定の表示効果を付与したプレゼンテーションを行うことができる。
【００９３】
特に、色情報が変化する領域を抽出して表示効果を付与することができるので、プレゼンテーション時に色が変化した領域に即時に表示効果を付与することができる。また、操作者が被写体に色の変化を加える動作（操作者による被写体への着色動作）を行うことにより色が変化した領域に対して、即時に所定の表示効果を付与してプレゼンテーションを行うことができる。
【００９４】
＜第１実施形態の変形例＞
上記の第１実施形態においては、マーカーペンＭＫで色を付着した領域に表示効果を付する場合を例示したが、これに限定されない。たとえば、図１４に示すように、被写体ＯＢ（発表原稿の用紙等）と異なる色を有する紙片ＰＢを操作者が被写体ＯＢ上に載置し、デジタルカメラ１０が紙片ＰＢの載置領域を色変化領域として検出して同様の動作を行うようにしてもよい。言い換えれば、被写体ＯＢへの着色物体の付加動作に起因する色変化を検出するようにしてもよい。
【００９５】
図１５は、この変形例で生成された画像データＤ３による画像Ｐ５を示す図である。また、図１５では、上述のような被選択形状（指定形状）で色変化領域ＣＰを表示するのではなく、紙片ＰＢの形状そのもので色変化領域ＣＰ（ＣＰ５）を表示する場合が示されている。なお、ここでは紙片ＰＢを用いる場合について説明したが、これに限定されず、被写体ＯＢ上の一部分を覆うような物であればよい。また、その形状も特に限定されず、たとえば矩形形状で有っても良く、あるいは、図１４などに示すように十字形状であってもよく、様々な形状のものを用いることができる。
【００９６】
このように、操作者が被写体に色の変化を加える動作として、操作者による被写体への着色物体の付加動作を行うことによっても、色が変化した領域に対して即時に所定の表示効果を付与してプレゼンテーションを行うことができる。また、この場合には紙片ＰＢを除去した後も、表示効果を継続させることが可能である。
【００９７】
また、上記の第１実施形態においては、２つの画像データＤ１，Ｄ２を取得した後に、ステップＳＰ９，ＳＰ１０，ＳＰ１１の選択操作で、色変化領域の表示色、表示形状、効果種類を指定する場合を例示したが、これに限定されない。たとえば、２つの画像データＤ１，Ｄ２を取得前に予め設定しておくようにしてもよい。この場合、予め設定しておいたパラメータを用いて色変化領域を表示することができるので、プレゼンテーションボタン２５ｂの押下後すぐに、色変化領域に表示効果を付加した画像データＤ３を作成することが可能である。
【００９８】
＜Ｂ．第２実施形態＞
つぎに、第２実施形態について図１６のフローチャートなどにしたがって説明する。
【００９９】
上記第１実施形態においては、検出された色変化領域に表示効果を付加する場合について説明したが、この第２実施形態においては、被写体ＯＢにおける色変化を検出するのではなく、被写体ＯＢにおける特定色の領域（以下、「特定色領域」とも称する）を検出し、その特定色領域に対して表示効果を付加する場合について説明する。この第２実施形態は、第１実施形態のさらなる変形例であり、システム構成等は第１実施形態と同様である。以下では、相違点を中心に説明する。また、第１実施形態と同様の構成を有する部分には、第１実施形態と同様の符号を付して説明する。
【０１００】
この第２実施形態では、図１７，図１８に示すような場合について説明する。
図１７においては、文字「かきくけこ」は赤色で記述されており、それ以外の文字は黒色で記述されている。これは、発表原稿などにおいて重要部分が赤色文字で表示されておりそれ以外の部分は黒色文字で表現されている場合等を想定した一例である。
【０１０１】
第２実施形態のデジタルカメラ１０は、図１７に示すような被写体ＯＢにおいて文字「かきくけこ」が記述された領域を特定色領域として抽出し、抽出した特定色領域に所定の表示効果を付加する（図１８参照）。
【０１０２】
以下では、図１６のフローチャートに基づいて説明を進める。
【０１０３】
まず、ステップＳＰ２１，ＳＰ２２において、デジタルカメラ１０は、図１７のように被写体載置用スペースＰに載置された被写体ＯＢ（ここでは発表原稿）を離間位置から撮像し、画像データＤ１１を取得する。この撮像動作は、プレゼンテーションボタン２５ｂの押下に応じて行われる。また、取得された画像データＤ１１は、画像メモリ１０７に保存される。
【０１０４】
次のステップＳＰ２３，Ｐ２４においては、特定色領域として抽出すべき領域の特性が操作者によって指定される。
【０１０５】
具体的には、まず、ステップＳＰ２３において、何色の領域を抽出すべきか（言い換えれば、抽出対象の色（すなわち抽出色））が操作者によって選択して指定される。
【０１０６】
図１９は、操作部２５のうち、各ステップＳＰ２３〜ＳＰ２７の選択操作で用いられるボタン等を示す図である。図１９に示すように、操作部２５は、上述したボタン群ＢＮ１０，ＢＮ２０，ＢＮ３０等に加えて、ボタン群ＢＮ５０とスライダーＳＤとをさらに備えている。
【０１０７】
ステップＳＰ２３においては、ボタン群ＢＮ５０を用いて抽出色の選択操作が行われる。ボタン群ＢＮ５０は、５つのボタンを有している。各ボタンには、たとえば、赤色、青色、緑色、黄色、橙色などの互いに異なる色が付されている。
ボタン群ＢＮ５０のいずれかのボタンが操作者によって押下されると、全体制御部１２は、押下されたボタンに付された色が、抽出すべき領域（特定色領域）の色（すなわち抽出色）として指定されたものと判定する。たとえば、赤色のボタンが押下されたときには、全体制御部１２は、赤色を抽出色として決定する。そして、この決定にしたがって、後述のステップＳＰ３０においては、画像データＤ１１で表現される画像から赤色の領域が抽出されることになる。
【０１０８】
ステップＳＰ２４においては、抽出色として認識すべき色調の幅（以下、「色調幅」とも称する）をスライダーＳＤを用いて設定する操作が行われる。スライダーＳＤは、画面中の「広」と「狭」との所定の区間にわたって移動可能であり、色調幅を指定することが可能である。たとえば、ステップＳＰ２３で「赤色」が指定されている場合には、指定された「赤色」として認識すべき色調の幅をこのスライダーＳＤで指定できる。「広」に近い位置（図中の上側の位置）に向けてスライダーＳＤを移動させると、赤色と認められる色調幅が広くなり、たとえば、純粋な赤だけでなくピンクなどの色も赤色として判定されるようになる。逆に、「狭」に近い位置（図中の下側の位置）にスライダーＳＤを移動させると、赤色と認められる色調幅が狭くなり、たとえば、純粋な「赤」に近い色のみが赤色として判定されるようになる。そして、この色調幅に関する決定にしたがって、後述のステップＳＰ３０においては、設定された色調幅に収まる「赤色」の領域が画像データＤ１１に基づく画像から抽出されることになる。
【０１０９】
そして、ステップＳＰ２５，ＳＰ２６，ＳＰ２７においては、抽出した特定色領域に付与すべき表示効果が操作者によって指定される。この動作は、第１実施形態のステップＳＰ９，ＳＰ１０，ＳＰ１１と同様である。
【０１１０】
具体的には、ボタン群ＢＮ１０を用いて特定色領域の表示色が決定され（ステップＳＰ２５）、ボタン群ＢＮ２０を用いて特定色領域の表示形状が決定され（ステップＳＰ２６）、ボタン群ＢＮ３０を用いて特定色領域の表示効果の種類が決定される（ステップＳＰ２７）。
【０１１１】
以上の動作により、操作者が、特定色領域として抽出した領域を表示する際の色、形状、効果種類を選択すると、最後に「Enter」ボタンＢＮ４０が押下され、その選択内容が確定される（ステップＳＰ２８）。
【０１１２】
その後、全体制御部１２は、画像データＤ１１の色情報を検出し、上記のステップＳＰ２３，ＳＰ２４で指定された特定色の領域を画像データＤ１１に基づく画像から抽出する（ステップＳＰ３０）。さらに、全体制御部１２は、画像データＤ１１に修正を加えて、画像データＤ１２を作成する（ステップＳＰ３１）。
画像データＤ１２は、ステップＳＰ３０で抽出された特定色領域に対して、ステップＳＰ２５，ＳＰ２６，ＳＰ２７で指定された表示効果が付与されたデータである。そして、ステップＳＰ３２において、全体制御部１２は、全体制御部２２を介して、外部機器ＥＸＴに対して画像データＤ１２を出力する。出力された画像データＤ１２は、液晶プロジェクタなどの外部機器ＥＸＴによって画像として表示される。
【０１１３】
図１８は、画像データＤ１２の表示例を示す図である。図１８の表示画面Ｐ１１においては、文字「かきくけこ」を含む領域（基準領域）に対する内接楕円内の領域ＣＰ１１が青色で網かけされた状態で示されている。この状態は、ステップＳＰ２５〜ＳＰ２７において、特定色領域の表示色、形状、効果種類として、それぞれ、「青色」、「丸」、「網かけ（淡）」が選択された場合を想定している。
【０１１４】
また、図２０は、このような表示効果の付与動作等について説明する図である。
【０１１５】
まず、表示効果付与の対象となる基準領域を画定する。これは、特定色の領域だけ（たとえば、特定色の文字を表現する線そのものだけ）に部分的に表示効果を付与するのではなく、特定色の領域を含む領域に対して包括的に表示効果を付与するためである。
【０１１６】
具体的には、全体制御部１２は、特定色の５つの文字「かきくけこ」を含む矩形領域を基準領域として抽出する。具体的には、図２０（ａ）に示すように、全体制御部１２は、特定色の領域であるとして検出された領域（５つの文字に対応する領域）の上端Ｅ１、下端Ｅ２、左端Ｅ３、右端Ｅ４を検出する。そして、全体制御部１２は、上端Ｅ１および下端Ｅ２を通る２本の水平線と左端Ｅ３および右端Ｅ４を通る２本の垂直線とで囲まれる矩形領域ＲＡ１を求める。さらに、全体制御部１２は、この矩形領域ＲＡ１に対してさらに所定量の余白領域を加えた矩形領域ＲＡ２を基準領域として決定する。このようにして、その文字を表現する線そのものだけでなく文字の線の相互間の空白部分および文字間の余白部分をも含めた矩形領域ＲＡ２が基準領域として抽出される。
【０１１７】
つぎに、全体制御部１２は、この基準領域ＲＡ２に対して、ステップＳＰ２５，ＳＰ２６，ＳＰ２７で指定された表示効果を付与する。具体的には、図２０（ｂ）に示すように、全体制御部１２は、基準領域ＲＡ２に内接する楕円内の領域ＣＰ１１に対して、青色による網掛け処理を施す。全体制御部１２は、このような表示効果を画像データＤ１１に付与して修正することによって、修正後の画像データＤ１２を取得することができる。
【０１１８】
以上のように、この第２実施形態の撮影システム１によれば、被写体の色情報を検出し、検出された色情報に基づいて画像から所定の領域を抽出し、抽出された領域に対して所定の表示効果（視覚的効果）を付与して画像を修正することができる。したがって、事前の準備を行うことなく、簡易に所定の表示効果を付与したプレゼンテーションを行うことができる。
【０１１９】
特に、画像から特定色の領域を所定の領域として抽出して表示効果を付与することができるので、事前の準備なく即時に特定色の領域に対して所定の表示効果を付与することができる。また、特定色を変更することが可能であるので、被写体に既に付されている色などに応じて、所定の表示効果を付与する領域を柔軟に変更することが可能である。たとえば、プレゼンテーション時に特定色の色指定を変更することによって、原稿内の別の指定色（変更後の指定色）が付された領域に対して即時に所定の表示効果を付与できる。
【０１２０】
＜Ｃ．その他＞
以上、この発明の実施の形態について説明したが、この発明は上記説明した内容のものに限定されるものではない。
【０１２１】
たとえば、上記各実施形態においては、操作部２５を用いて各種の設定操作を行うようにしていたが、これに限定されず、デジタルカメラ１０を用いて各種の設定操作を行うようにしてもよい。具体的には、全体制御部１２は、図１９の操作部２５と同様の構成を模擬的に表した設定画面を液晶モニタ１４に表示させ、操作者による設定操作をこの設定画面等を介して受け付けるようにしてもよい。
より詳細には、コントロールボタン１５８を用いて液晶モニタ１４上のカーソルを左右上下方向に移動させるとともに、シャッタボタン１５３を決定ボタンとして用いて選択決定動作を行えばよい。
【０１２２】
また、上記各実施形態においては、修正後の画像に関するデータＤ３，Ｄ１２を撮影システム１（プレゼンテーション装置）の外部機器ＥＸＴに出力し、データＤ３，Ｄ１２をその外部機器ＥＸＴを用いて画像として表示する場合を例示したが、これに限定されない。たとえば、プレゼンテーション装置を、上記の各機能を有するデジタルカメラ１０および支持台２０と表示機能を有する液晶プロジェクタとを一体化した装置として構成し、その装置内で、修正後の画像に関するデータＤ３，Ｄ１２の入出力を行うようにしてもよい。これによれば、画像データ（Ｄ３，Ｄ１２など）を画像として表示する表示機能をプレゼンテーション装置自体に備えさせることができる。
【０１２３】
なお、上述した具体的実施形態には以下の構成を有する発明が含まれている。
【０１２４】
（１）請求項１ないし請求項５のいずれかに記載のプレゼンテーション装置において、
前記取得手段は、前記プレゼンテーション装置の支持部に対して着脱自在なデジタルカメラを用いて構成されていることを特徴とするプレゼンテーション装置。これによれば、プレゼンテーション装置から分離させたデジタルカメラを単体でも撮影装置として利用することができるので、利便性が高い。
【０１２５】
【発明の効果】
以上のように、請求項１ないし請求項５に記載の発明によれば、事前の準備を行うことなく、簡易に所定の表示効果を付与したプレゼンテーションを行うことができる。
【０１２６】
請求項２に記載の発明によれば、色情報が変化する領域を抽出して表示効果を付与することができるので、プレゼンテーション時に色が変化した領域に即時に表示効果を付与することができる。
【０１２７】
請求項３に記載の発明によれば、操作者による被写体への着色動作または操作者による被写体への着色物体の付加動作によって色情報が変化する領域を抽出できるので、操作者の所定動作によって即時に所定の表示効果を付与してプレゼンテーションを行うことができる。
【０１２８】
請求項４に記載の発明によれば、画像から特定色の領域を所定の領域として抽出するので、事前の準備なく即時に特定色の領域に対して所定の表示効果を付与することができる。
【０１２９】
請求項５に記載の発明によれば、特定色を変更することが可能であるので、所定の表示効果を付与する領域を柔軟に変更することが可能である。
【図面の簡単な説明】
【図１】撮影システム（プレゼンテーション装置）の全体構成を示す図である。
【図２】デジタルカメラと支持台とが分離した状態を示す図である。
【図３】デジタルカメラの外観構成を示す図である。
【図４】支持台の結合部の詳細を示す図である。
【図５】デジタルカメラおよび支持台の機能構成を示すブロック図である。
【図６】プレゼンテーション時の様子を示す図である。
【図７】第１実施形態における動作を示すフローチャートである。
【図８】第１実施形態における動作を示すタイミングチャートである。
【図９】着色前の発表原稿を示す図である。
【図１０】着色後の発表原稿を示す図である。
【図１１】表示効果が付加された画像を示す図である。
【図１２】色変化判定の詳細について説明するための概念図である。
【図１３】支持台の操作部の一部を示す図である。
【図１４】着色物体載置後の発表原稿を示す図である。
【図１５】表示効果が付加された画像を示す図である。
【図１６】第２実施形態における動作を示すフローチャートである。
【図１７】発表原稿を示す図である。
【図１８】表示効果が付加された画像を示す図である。
【図１９】支持台の操作部の一部を示す図である。
【図２０】表示効果の付与動作について説明する図である。
【符号の説明】
１  撮影システム
１０  デジタルカメラ
１２，２２  全体制御部
１４  液晶モニタ
１５，２５  操作部
１６，２６  結合部
１７，２７  インターフェース
２０  支持台
２５ａ  シャッタボタン
２５ｂ  プレゼンテーションボタン
ＥＸＴ  外部機器
ＭＫ  マーカーペン
ＯＢ  被写体
ＰＢ  紙片
【図１】
2004208231.tif 000003
【図２】
2004208231.tif 000004
【図３】
2004208231.tif 000005
【図４】
2004208231.tif 000006
【図５】
2004208231.tif 000007
【図６】
2004208231.tif 000008
【図７】
2004208231.tif 000009
【図８】
2004208231.tif 000010
【図９】
2004208231.tif 000011
【図１０】
2004208231.tif 000012
【図１１】
2004208231.tif 000013
【図１２】
2004208231.tif 000014
【図１３】
2004208231.tif 000015
【図１４】
2004208231.tif 000016
【図１５】
2004208231.tif 000017
【図１６】
2004208231.tif 000018
【図１７】
2004208231.tif 000019
【図１８】
2004208231.tif 000020
【図１９】
2004208231.tif 000021
【図２０】
2004208231.tif 000022